(57)【要約】【課題】イヤホンで耳を塞ぐことに起因する車両などとの衝突事故の発生を防止し、補聴器や拡声器としても使用することが可能な多機能なスピーカー付きアンプを提供する。【解決手段】スピーカー付きアンプ１は、オーディオ機器５よりオーディオ信号を入力するための第１のケーブル２を接続することが可能な第１の外部接続端子１１と、マイクロフォン６より音声信号を入力しかつマイクロフォン６が内蔵する増幅回路の作動に必要な電源をスピーカー付きアンプ１が内蔵する電池より供給するための第２のケーブル３を接続することが可能な第２の外部接続端子１２と、第１の外部接続端子１１より取り込まれたオーディオ信号と第２の外部接続端子１２より取り込まれた音声信号とを混合して増幅器へ与える信号入力回路と、増幅器による増幅出力をイヤホンまたはヘッドホン７へ出力するための第３のケーブル４を接続することが可能な第３の外部接続端子１３とを備える。【選択図】図１
2014049961.tif 000002
【特許請求の範囲】
【請求項１】
外部より入力した信号を増幅するための増幅器と、増幅器の作動に必要な電源を供給する電池とを内蔵するととともに、前記増幅器による増幅出力を音に変換して出力するスピーカーが一体に組み込まれて成るスピーカー付きアンプにおいて、
オーディオ機器よりオーディオ信号を入力するための第１のケーブルを接続することが可能な第１の外部接続端子と、マイクロフォンより音声信号を入力しかつマイクロフォンが内蔵する増幅回路の作動に必要な電源を前記電池より供給するための第２のケーブルを接続することが可能な第２の外部接続端子と、第１の外部接続端子より取り込まれたオーディオ信号と第２の外部接続端子より取り込まれた音声信号とを混合して前記増幅器へ与える信号入力回路と、前記増幅器による増幅出力をイヤホンまたはヘッドホンへ出力するための第３のケーブルを接続することが可能な第３の外部接続端子とを備えてなるスピーカー付きアンプ。
【請求項２】
前記第２のケーブルは、アース線と、マイクロフォンより音声信号を入力するための信号線と、前記電池よりマイクロフォンへ電源を供給するための電源供給線と、各線が絶縁状態で接続される３極のプラグとを含み、前記信号入力回路は、第２の外部接続端子を構成するジャックに対する前記プラグの挿脱時に、電源供給線とアース線とが短絡したとき、前記電池から電源供給線への電源の供給を遮断して断線を防止する断線防止回路を含んでいる請求項１に記載されたスピーカー付きアンプ。
【請求項３】
前記信号入力回路は、マイクロフォンおよびオーディオ機器より入力される低周波領域の雑音が増幅器に取り込まれるのを規制する雑音規制回路を含んでいる請求項１に記載されたスピーカー付きアンプ。
【請求項４】
請求項１〜３のいずれかに記載されたスピーカー付きアンプと、スピーカー付きアンプの第１の外部接続端子に第１のケーブルを介して接続されるオーディオ機器と、スピーカー付きアンプの第２の外部接続端子に第２のケーブルを介して接続されるマイクロフォンと、スピーカー付きアンプの第３の外部接続端子に第３のケーブルを介して接続されるヘッドホンまたはイヤホンとで構成されて成るオーディオ装置。
【請求項５】
前記マイクロフォンは、内蔵する増幅回路中に感度調整のために設けられる可変抵抗器と、可変抵抗器の抵抗値を変更するための外部操作が可能なつまみとを有している請求項４に記載されたオーディオ装置。
【請求項６】
前記つまみは、円盤状であって外周面に全周にわたって形成された刻みを有し、回動操作によるつまみの間欠送りが可能なように前記刻みに動作表示用のＬＥＤがかみ合わされている請求項５に記載されたオーディオ装置。
【発明の詳細な説明】
【技術分野】
【０００１】
この発明は、スピーカーが一体に組み込まれたスピーカー付きアンプと、そのスピーカー付きアンプを用いて構成されるオーディオ装置とに関する。
【背景技術】
【０００２】
出願人は以前、図５に示す構成のスピーカー付きアンプ９を提案した（例えば、特許文献１参照）。図示のスピーカー付きアンプ９は、箱形の本体ケース９０の片面にスピーカー９１が、ひとつの端面に第１、第２の各外部接続端子９２，９３が、それぞれ設けられたものである。各外部接続端子９２，９３はジャックにより構成され、一方の外部接続端子９２にはケーブル９４を介して携帯電話９５やオーディオ機器９６が、他方の外部接続端子９３にはイヤホンまたはヘッドホンが、それぞれ接続可能になっている。なお、図中、９７，９８はケーブル９４の両端に装着されたプラグであり、一方のプラグ９７は携帯電話９５やオーディオ機器９６が有する接続端子９９に、他方のプラグ９８はスピーカー付きアンプ９の第１の外部接続端子９２に、それぞれ差し込まれる。
【０００３】
上記のスピーカー付きアンプ９に携帯電話９５を接続すれば、スピーカー付きアンプ９のスピーカー９１と携帯電話９５に内蔵のマイクロフォンとによって携帯電話９５のハンズフリー装置が構成される。前記オーディオ機器９６には、スピーカーを内蔵していないイヤホン専用のデジタルオーディオプレーヤーや小出力のスピーカーを内蔵するミニラジオなどが含まれ、その種のオーディオ機器９６をスピーカー付きアンプ９に接続すると、オーディオ信号が取り込まれて増幅され、スピーカー９１で音に変換されて外部へ出力される。
【先行技術文献】
【特許文献】
【０００４】
【特許文献１】特開２０１１−１１４６５０号公報
【発明の概要】
【発明が解決しようとする課題】
【０００５】
ところで、「スマートフォン」と呼ばれる多機能携帯電話には、音楽などを聴くためのイヤホン専用端子が設けられている。しかし、歩行時に音楽などを楽しむためにイヤホンを耳に装着していると、イヤホンにより周囲の音が遮断されるため、車両などの接近に気づかず、車両などとの衝突事故を招くおそれがある。
【０００６】
この発明は、上記の問題に着目してなされたものであり、マイクロフォンの接続を可能としてマイクロフォンで集められた周囲の音をオーディオ機器からの音とともにヘッドホンやイヤホンより出力させることを可能となすことにより、上記した衝突事故の発生を防止するとともに、補聴器や拡声器としても使用することが可能な多機能なスピーカー付きアンプと、そのスピーカー付きアンプを用いて構成されるオーディオ装置とを提供することを目的とする。
【課題を解決するための手段】
【０００７】
この発明によるスピーカー付きアンプは、外部より入力した信号を増幅するための増幅器と、増幅器の作動に必要な電源を供給するための電池とを内蔵するととともに、前記増幅器による増幅出力を音に変換して出力するスピーカーが一体に組み込まれたものであり、オーディオ機器よりオーディオ信号を入力するための第１のケーブルを接続することが可能な第１の外部接続端子と、マイクロフォンより音声信号を入力しかつマイクロフォンが内蔵する増幅回路の作動に必要な電源を前記電池より供給するための第２のケーブルを接続することが可能な第２の外部接続端子と、第１の外部接続端子より取り込まれたオーディオ信号と第２の外部接続端子より取り込まれた音声信号とを混合して前記増幅器へ与える信号入力回路と、前記増幅器による増幅出力をイヤホンまたはヘッドホンへ出力するための第３のケーブルを接続することが可能な第３の外部接続端子とを備えて成るものである。
【０００８】
上記した構成のスピーカー付きアンプの第１〜第３のいずれかの外部接続端子に、オーディオ機器、マイクロフォン、イヤホンまたはヘッドホンを選択して接続することで、種々の用途に用いることができる。
第２の外部接続端子にマイクロフォンを接続すると、スピーカー付きアンプが内蔵する電池よりマイクロフォンへ電源が供給されてマイクロフォンの増幅回路が作動する。マイクロフォンへ音声が入力されると、音声信号が増幅回路で増幅されてスピーカー付きアンプに取り込まれ、信号入力回路および増幅器を経てスピーカーより音声が出力される。したがって、この発明に係るスピーカー付きアンプにマイクロフォンを接続したものを各種施設の窓口などに設置すれば、拡声器として機能させることができる。
【０００９】
また、第３の外部接続端子にさらにイヤホンを接続すると、マイクロフォンによって集められた音声などの周囲の音が増幅回路で増幅されてスピーカー付きアンプに取り込まれ、信号入力回路および増幅器を経てイヤホンより出力されるので、この発明に係るマイク付きアンプにマイクロフォンおよびイヤホンを接続したものを携帯すれば、補聴器として活用することができる。
【００１０】
一方、第１の外部接続端子にオーディオ機器を接続すると、オーディオ機器からのオーディオ信号は信号入力回路および増幅器を経てスピーカーで音に変換されて出力されるので、スピーカーを内蔵していないイヤホン専用のデジタルオーディオプレーヤーであっても、イヤホンによらずにスピーカー付きアンプのスピーカーによって音を聴取できる。
【００１１】
さらにまた、第１〜第３の各外部接続端子にオーディオ機器、マイクロフォン、イヤホンまたはヘッドホンをそれぞれ接続すると、第１の外部接続端子より取り込まれたオーディオ信号と第２の外部接続端子より取り込まれた音声信号とが信号入力回路で混合されて増幅器へ与えられるので、イヤホンまたはヘッドホンによって音楽などを聴きつつマイクロフォンで集められた音声などの周囲の音も聴取できる。したがって、音楽などを聴くために歩行時などにイヤホンやヘッドホンで耳が塞がれていても、車両の接近に気づき、車両などとの衝突事故を回避できる。
【００１２】
この発明の好ましい実施態様においては、前記第２のケーブルは、アース線と、マイクロフォンより音声信号を入力するための信号線と、前記電池よりマイクロフォンへ電源を供給するための電源供給線と、各線が絶縁状態で接続される３極のプラグとを含み、前記信号入力回路は、第２の外部接続端子を構成するジャックに対する前記プラグの挿脱時に、電源供給線とアース線とが短絡したとき、前記電池から電源供給線への電源の供給を遮断して断線を防止する断線防止回路を含んでいる。
【００１３】
この実施態様によると、スピーカー付きアンプが内蔵する電池よりマイクロフォンに電源を供給することに起因する短絡による断線事故の発生を防止できる。また、マイクロフォンに増幅回路の作動に必要な電池を組み込む必要がないから、電源の供給をスピーカー付きアンプが内蔵するひとつの電池により行うことができる。
【００１４】
この発明のさらに好ましい実施態様においては、前記信号入力回路は、マイクロフォンおよびオーディオ機器より入力される低周波領域の雑音が増幅器に取り込まれるのを規制する雑音規制回路を含んでいる。
【００１５】
この実施態様によると、マイクロフォンおよびオーディオ機器より入力される低周波領域の雑音が増幅器で増幅されないので、オーディオ機器からのオーディオ信号とマイクロフォンからの音声信号とを混合しても、ヘッドホンまたはイヤホンより出力される音は明瞭な音となり、残響音などの悪影響を防止できる。
【００１６】
上記のいずれかに記載されたスピーカー付きアンプを、スピーカー付きアンプの第１の外部接続端子に第１のケーブルを介して接続されるオーディオ機器、スピーカー付きアンプの第２の外部接続端子に第２のケーブルを介して接続されるマイクロフォン、およびスピーカー付きアンプの第３の外部接続端子に第３のケーブルを介して接続されるヘッドホンまたはイヤホンと組み合わせると、上記した所望の効果が得られるオーディオ装置が構成されるものである。
【００１７】
好ましい実施態様のオーディオ装置においては、前記マイクロフォンは、内蔵する増幅回路中に感度調整のために設けられる可変抵抗器と、可変抵抗器の抵抗値を変更するための外部操作が可能なつまみとを有している。
【００１８】
この実施態様によると、歩行時など、室外で音楽などを聴くときは、つまみを操作してマイクロフォンの感度を上げ、周囲の音をも取り込むようにすれば、車両の接近に気づき、車両などとの衝突事故を回避できる。また、室内で音楽などを聴くときは、つまみを操作してマイクロフォンの感度を下げれば、周囲の音は取り込まれない。
【００１９】
さらに好ましい実施態様においては、前記つまみは、円盤状であって外周面に全周にわたって形成された刻みを有し、回動操作によるつまみの間欠送りが可能なように前記刻みに動作表示用のＬＥＤがかみ合わされている。
【００２０】
この実施態様によれば、つまみを回すと間歇送りされるので、つまみによる細やかな感度調整が可能となり、しかも、動作表示用のＬＥＤをつまみの間歇送り機構に兼用するので、構造の複雑化やコスト高を招くおそれがない。
【発明の効果】
【００２１】
この発明によれば、マイクロフォンの接続を可能としてマイクロフォンからの音をスピーカーやヘッドホンまたはイヤホンより出力できる構成としたから、補聴器や拡声器としての機能が付加され、多機能化がはかられる。また、ヘッドホンやイヤホンによって音楽などを聴いているときにマイクロフォンで集められた周囲の音もイヤホンより出力できるので、ヘッドホンやイヤホンで耳が塞がれていても、周囲の音が遮断されることがなく、車両などとの衝突事故を回避できる。
また、マイクロフォンが内蔵する増幅回路の作動に必要な電源をスピーカー付きアンプが内蔵する電池より供給するので、マイクロフォンに電池を内蔵させる必要がなく、構造の簡易化およびコストの低減を実現できる。
【図面の簡単な説明】
【００２２】
【図１】この発明の一実施例であるスピーカー付きアンプの構成とそのスピーカー付きアンプを用いて構成されるオーディオ装置の構成とを示す説明図である。
【図２】マイクロフォンを拡大して示す正面図である。
【図３】スピーカー付きアンプの回路構成を示す電気回路図である。
【図４】雑音規制回路が組み込まれた実施例の回路構成を示す電気回路図である。
【図５】従来のスピーカー付きアンプの構成を示す説明図である。
【発明を実施するための形態】
【００２３】
図１は、この発明の一実施例であるスピーカー付きアンプ１の構成と、そのスピーカー付きアンプ１を用いて構成されるオーディオ装置の構成とを示している。図示例のスピーカー付きアンプ１は、箱形の本体ケース１０の片面にスピーカー１４および電池収容部１５が設けられるとともに、ひとつの端面に第１〜第３の各外部接続端子１１〜１３および動作表示用のＬＥＤ１７がそれぞれ設けられたものである。図示例の電池収容部１５は、２個の乾電池を収容することが可能な大きさであり、蓋板１６を開閉することで電池の出し入れが可能となっている。
【００２４】
第１の外部接続端子１１には第１のケーブル２を介してオーディオ機器５が、第２の外部接続端子１２には第２のケーブル３を介してマイクロフォン６が、第３の外部接続端子１３には第３のケーブル４を介してヘッドホン７またはイヤホン（図示せず）が、それぞれ接続可能になっている。
第１〜第３の各外部接続端子１１〜１３はジャックＪ１〜Ｊ３により構成され、一方、第１〜第３の各ケーブル２〜４には各ジャックＪ１〜Ｊ３に挿脱可能な３極のプラグＰ１〜Ｐ３がそれぞれ装着されている。３極のプラグＰ１〜Ｐ３は、図示していないが、先端側がチップ、根元側がスリーブ、中間がリングと呼ばれ、それぞれが絶縁リングにより絶縁されている。
【００２５】
第１〜第３の各ケーブル２〜４としてミニステレオコードが用いられている。第１のケーブル２の一端にはスピーカー付きアンプ１の第１のジャックＪ１に差し込むことが可能な前記３極のプラグＰ１が、他端にはオーディオ機器５の外部接続端子（ジャック）５１に差し込むことが可能な３極のプラグＰ４が、それぞれ装着されている。オーディオ機器５には多機能携帯電話の他、音楽プレーヤー、ボイスレコーダ、ワンセグテレビ、ポケットラジオなどが含まれる。
【００２６】
第２のケーブル３はマイクロフォン６に接続されており、第２のケーブル３の先端にはスピーカー付きアンプ１の第２のジャックＪ２に差し込むことが可能な３極のプラグＰ２が装着されている。図示例のマイクロフォン６は、合成樹脂製のケースの内部に、図３の電気回路図に示されているコンデンサマイク６１および増幅回路６２が実装されたプリント基板が組み込まれたものである。増幅回路６２には感度調整用の可変抵抗器ＶＲが含まれており、図２に拡大して示したケース６０の上面に、前記可変抵抗器ＶＲの抵抗値を外部操作により変更することが可能なつまみ６３が設けられている。つまみ６３は、円盤状であって、中心部が回動可能に軸支されている。つまみ６３の外周面にはローレット加工による刻み６４が全周にわたって形成されており、つまみ６３の間欠送りが可能なように前記刻み６４に動作表示用のＬＥＤ６５がかみ合わされている。図中、６６は音声などの周囲の音をケース６０内に取り込むための集音口である。また、図示していないが、ケース６０の背面側にはマイクロフォン６を胸元などの適所に装着するためのフックが設けられている。
【００２７】
図１に戻って、第３のケーブル４はヘッドホン７に接続されており、第３のケーブル４の先端にスピーカー付きアンプ１の第３のジャックＪ３に差し込むことが可能な３極のプラグＰ３が装着されている。なお、図示していないが、ヘッドホン７に代えてイヤホンを用いることもできる。
【００２８】
図３は、マイクロフォン６に組み込まれた増幅回路６２の構成と、スピーカー付きアンプ１に組み込まれた制御回路８の構成とを示している。
スピーカー付きアンプ１の制御回路８は、外部より入力した信号を増幅するための増幅器８０と、増幅器８０の作動に必要な電源を供給するための電池８１と、オーディオ機器５からのステレオのオーディオ信号ｉＬ，ｉＲとマイクロフォン６からの音声信号ｋとを混合して増幅器８０へ与える信号入力回路８２とを含んでいる。信号入力回路８２には、複数個のカップリングコンデンサＣ５〜Ｃ９が用いられており、各コンデンサＣ５〜Ｃ９は、音声信号ｋ、オーディオ信号ｉＬ，ｉＲおよびそれらを混合した信号について、直流分の通過を阻止して交流成分のみを通過させる。
【００２９】
図３において、Ｊ１はオーディオ機器５よりオーディオ信号ｉＬ，ｉＲを入力するための第１の外部接続端子１１を構成するジャックであり、第１のケーブル２に装着された第１のプラグＰ１が差し込まれる。Ｊ２はマイクロフォン６より音声信号ｋを入力しかつマイクロフォン６が内蔵する増幅回路６２の作動に必要な電源を前記電池８１より供給するための第２の外部接続端子１２を構成するジャックであり、第２のケーブル３に装着された第２のプラグＰ２が差し込まれる。Ｊ３は前記増幅器８０による増幅出力をヘッドホン７またはイヤホンへ出力するための第３の外部接続端子１３を構成するジャックであり、第３のケーブル４に装着された第３のプラグＰ３が差し込まれる。前記増幅器８０の増幅出力はスピーカー１４で音に変換されて出力されるが、ジャックＪ３にヘッドホン７またはイヤホンが接続されると、ヘッドホン７またはイヤホンで音に変換されて出力される。
【００３０】
第２のケーブル３は、アース線Ｅと、マイクロフォン６より音声信号ｋをスピーカー付きアンプ１へ送るための信号線Ｒと、前記電池８１よりマイクロフォン６の増幅回路６２へ電源を供給するための電源供給線Ｌとを含んでいる。マイクロフォン６の増幅回路６２は、前記電源供給線Ｌを介してスピーカー付きアンプ１より電源の供給を受けて作動し、その増幅出力である音声信号ｋを信号線Ｒを介してスピーカー付きアンプ１へ送る。なお、音声信号ｋは、人の声、周囲の音などが電気信号に変換されかつ増幅回路６２により増幅されたものであり、スピーカー付きアンプ１の用途に応じて、専ら人の声を示す信号であったり、専ら周囲の音を示す信号であったりする。
【００３１】
マイクロフォン６に用いられるコンデンサマイク６１は、音の強弱により容量が変化するもので、抵抗Ｒ１によりコンデンサマイク６１に電圧がかけられると、コンデンサマイク６１の容量変化が電圧の変化としてコンデンサＣ１を介して取り出されて音声信号ｋとなる。ＴＲ１〜ＴＲ３は増幅用のトランジスタであり、前記つまみ６３を回すことで可変抵抗器ＶＲの大きさが変化し、これによりトランジスタＴＲ２の増幅率が変化して感度が調整される。可変抵抗器ＶＲの抵抗値を小さくすると、感度が上がり、大きな音声信号ｋが取り出せる。可変抵抗器ＶＲの抵抗値を大きくすると、感度が下がり、音声信号ｋは小さくなる。図中、Ｃ１〜Ｃ４はカップリングコンデンサであり、直流分を阻止し交流成分のみを通過させる。なお、コンデンサマイク６１の増幅回路６２は一般に公知であり、ここでは回路構成およびその動作についての詳細な説明を省略する。
【００３２】
マイクロフォン６からの音声信号ｋは第２のケーブル３の信号線Ｒを介してスピーカー付きアンプ１に取り込まれるが、第２のケーブル３に装着された第２のプラグＰ２をスピーカー付きアンプ１の第２の外部接続端子１２を構成するジャックＪ２に差し込んだり、ジャックＪ２より抜き取ったりするとき、稀に、第２のケーブル３の電源供給線Ｌとアース線Ｅとが短絡して断線を生じさせるおそれがある。
【００３３】
上記の短絡による断線の発生を防止するために、スピーカー付きアンプ１の信号入力回路８２には、ジャックＪ２に対するプラグＰ２の挿脱時に、電源供給線Ｌとアース線Ｅとが短絡したとき、前記電池８１から電源供給線Ｌへの電源の供給を遮断する断線防止回路８３が設けられている。
図示例の断線防止回路８３は、電池８１より抵抗Ｒ３およびトランジスタＴＲ４を介して電源供給線Ｌへ電源を供給するための電源供給回路８４と、増幅器８０より出力される電流を抵抗Ｒ２を介してトランジスタＴＲ４のベースに与える電流帰還回路８５とで構成されている。電源供給線Ｌとアース線Ｅとが短絡したとき、電流帰還回路８５によりトランジスタＴＲ４のベースへ与えられる信号は無信号の状態となり、その結果、トランジスタＴＲ４がオフとなって電源供給回路８４がオープン状態となり、電源供給線Ｌへの電源供給が停止されるものである。なお、図中、Ｃ１０〜Ｃ１２はパルス電圧吸収用のコンデンサである。
【００３４】
図４は、スピーカー付きアンプ１の信号入力回路８２にさらに雑音規制回路８６が設けられた実施例を示している。この雑音規制回路８６は、マイクロフォン６およびオーディオ機器５より入力される低周波領域の雑音が増幅器８０に取り込まれるのを規制するためのもので、第１、第２の各トランジスタＴＲ５，ＴＲ６と直流阻止用のコンデンサＣ１３と電流制限用の抵抗Ｒ４とを含んでいる。第１のトランジスタＴＲ５は増幅器８０へ入力される雑音を制限するために、第１のトランジスタＴＲ５のベースに電池８１より正の電荷が常に与えられている。その結果、第１のトランジスタＴＲ５のエミッタ、コレクタ間のインピーダンスはゼロに近い状態となり、増幅器８０への信号入力が制限され、マイクロフォン６やオーディオ機器５より入力される低周波領域の雑音（例えば、残響音に起因する雑音）の増幅器８０への入力が規制される。
【００３５】
マイクロフォン６からは音声信号ｋが、オーディオ機器５からはオーディオ信号ｉＬ，ｉＲが、それぞれ入力され、その合成された信号が第２のトランジスタＴＲ６のベースに与えられると、第２のトランジスタＴＲ６が動作してトランジスタＴＲ６のエミッタ、コレクタ間のインピーダンスは小さくなるため、第１のトランジスタＴＲ５のベース電位が低くなり、第１のトランジスタＴＲ５のエミッタ、コレクタ間のインピーダンスが大きくなり、増幅器８０に入力される信号が大きくなる。
【００３６】
第１、第２の各トランジスタＴＲ５，ＴＲ６は、マイクロフォン６からの音声信号ｋやオーディオ機器５からのオーディオ信号ｉＬ，ｉＲの増減に応じてオン、オフを繰り返すことで、残響音などに起因する低周波領域の雑音が増幅器８０に入力されて増幅されるのが抑制される。その結果、ヘッドホン７またはイヤホンで聴取される音が明瞭となり、オーディオ機器５とマイクロフォン６の双方から音が取り込まれて混ざり合っても、聴き取りにくいということもない。
【００３７】
上記した構成のスピーカー付きアンプ１の第１〜第３のいずれかの外部接続端子１１〜１３に、オーディオ機器５、マイクロフォン６、ヘッドホン７またはイヤホンを選択して接続することで、種々の用途に用いることができる。
第２の外部接続端子１２にマイクロフォン６を接続すると、スピーカー付きアンプ１が内蔵する電池８１よりマイクロフォン６へ電源が供給されてマイクロフォン６の増幅回路６２が作動する。マイクロフォン６へ音声などが入力されると、音声信号ｋが増幅回路６２で増幅されてスピーカー付きアンプ１に送られ、信号入力回路８２および増幅器８０を経てスピーカー１４より音声が出力される。したがって、この発明に係るスピーカー付きアンプ１にマイクロフォン６を接続したものを各種施設の窓口などに設置すれば、拡声器として機能させることができる。
【００３８】
また、第３の外部接続端子１３にさらにイヤホンを接続すると、マイクロフォン６によって集められた音声などの周囲の音が増幅回路６２で増幅されてスピーカー付きアンプ１に取り込まれ、信号入力回路８２および増幅器８０を経てイヤホンより出力されるので、この発明に係るスピーカー付きアンプ１にイヤホンを接続したものを携帯すれば、補聴器として利用することができる。
【００３９】
一方、第１の外部接続端子１１にオーディオ機器５を接続すると、オーディオ機器５からのオーディオ信号ｉＬ，ｉＲは信号入力回路８２および増幅器８０を経てスピーカー１４で音に変換されて出力されるので、スピーカー１４を内蔵していないイヤホン専用のデジタルオーディオプレーヤーであっても、イヤホンによらずにスピーカー付きアンプ１のスピーカー１４によって音を聴取できる。
【００４０】
さらにまた、第１〜第３の各外部接続端子１１〜１３にオーディオ機器５、マイクロフォン６、ヘッドホン７またはイヤホンをそれぞれ接続すると、第１の外部接続端子１１より取り込まれたオーディオ信号ｉＬ，ｉＲと第２の外部接続端子１２より取り込まれた音声信号ｋとが信号入力回路８２で混合されて増幅器８０へ与えられるので、ヘッドホン７またはイヤホンによって音楽などを聴きつつマイクロフォン６で集められた音声などの周囲の音も聴取できる。したがって、音楽などを聴くために歩行時などにヘッドホン７またはイヤホンで耳が塞がれていても、車両の接近に気づき、車両などとの衝突事故を回避できる。
【符号の説明】
【００４１】
１    スピーカー付きアンプ
２    第１のケーブル
３    第２のケーブル
４    第３のケーブル
５    オーディオ機器
６    マイクロフォン
７    ヘッドホン
１１  第１の外部接続端子
１２  第２の外部接続端子
１３  第３の外部接続端子
１４  スピーカー
６３  つまみ
６４  刻み
６５  動作表示用のＬＥＤ
６２  増幅回路
ＶＲ  可変抵抗器
８０  増幅器
８１  電池
８２  信号入力回路
８３  断線防止回路
８６  雑音規制回路
Ｊ１，Ｊ２，Ｊ３  ジャック
Ｐ１，Ｐ２，Ｐ３  プラグ
【図１】
2014049961.tif 000003
【図２】
2014049961.tif 000004
【図３】
2014049961.tif 000005
【図４】
2014049961.tif 000006
【図５】
2014049961.tif 000007